(57)【要約】【課題】部品点数が少なく、１回の施工作業でコストを低減させて設置可能なオストメイト用流しユニットを提供する。【解決手段】内部に配管１２，１６が収納可能なケーシング１の前面にオストメイト用流し４が取り付けられ、ケーシング１内部には、洗浄水供給装置１３および電気温水器１７が収納されてなるオストメイト用流しユニットにおいて、オストメイト用流し４の上方のケーシング１の前面には鏡５が取り付けられ、鏡５の裏側のケーシング１内に洗浄水供給装置１３および電気温水器１７が収納されて隠蔽されている。【選択図】図３
2010125295.tif 000002
【特許請求の範囲】
【請求項１】
内部に配管が収納可能なケーシングの前面にオストメイト用流しが取り付けられ、ケーシング内部には、洗浄水供給装置および電気温水器が収納されてなるオストメイト用流しユニットにおいて、
前記オストメイト用流しの上方のケーシングの前面には鏡が取り付けられ、該鏡の裏側のケーシング内に前記洗浄水供給装置および電気温水器が収納されていることを特徴とするオストメイト用流しユニット。
【請求項２】
前記ケーシングは、前面に前記オストメイト用流しが取り付けられる下側部と、該下側部の一部が一体状に上方へ立ち上がって前面に前記鏡が取り付けられる上側部とからなり、
該上側部のケーシング内に前記洗浄水供給装置および電気温水器が収納されている請求項１に記載のオストメイト用流しユニット。
【請求項３】
前記下側部は前記上側部よりも奥行寸法が大きく形成され、該下側部上端の上側部の前面には物置用の段部が形成されていることを特徴とする請求項２に記載のオストメイト用流しユニット。
【発明の詳細な説明】
【技術分野】
【０００１】
本発明は、腹部にパウチ（排泄物受け袋）を装着しているオストメイト（人口肛門，人口膀胱保有者）が良好にパウチ内の汚物を処理できるオストメイト用流しユニットに関するものである。
【背景技術】
【０００２】
従来、この種の汚物流しユニット（オストメイト用流しユニット）として、例えば特許文献１に開示されているようなものが存在する。
この汚物流しユニットは、配管ユニットの前面に流しを設け、配管ユニット内部にフラッシュバルブおよび電気温水器が設置されて構成されたものである。
【特許文献１】特開２００４−２８３３９４号公報
【発明の開示】
【発明が解決しようとする課題】
【０００３】
上記汚物流しユニットでは、配管ユニット内に電気温水器を設置しているが、配管ユニット内の配管との干渉を避けて電気温水器を配管ユニット内に入れ込むのに困難を伴うという問題点があった。
なお従来、配管ユニットとは別体で、配管ユニットの上方に鏡キャビネットを設置して、この鏡キャビネット内にフラッシュバルブ等を隠蔽させた構造のものも存在するが、このような別体の鏡キャビネットを配管ユニット上に設置する構造では、鏡キャビネットが別体であるため部品点数が多くなり、しかも、配管ユニットを設置する業者と鏡キャビネットを設置する業者が異なり、複数の業者による施工となるため、段取り上、時間待ちが生じたりして施工に手間が掛かり、高コストとなるという問題点があった。
【課題を解決するための手段】
【０００４】
本発明は、単独の業者による１回の施工作業で良好に設置できるオストメイト用流しユニットの提供を目的とし、この目的の少なくとも一部を達成するために以下の手段を採った。
本発明は、内部に配管が収納可能なケーシングの前面にオストメイト用流しが取り付けられ、ケーシング内部には、洗浄水供給装置および電気温水器が収納されてなるオストメイト用流しユニットにおいて、前記オストメイト用流しの上方のケーシングの前面には鏡が取り付けられ、該鏡の裏側のケーシング内に前記洗浄水供給装置および電気温水器が収納されていることを要旨とする。
【発明の効果】
【０００５】
ケーシングには、オストメイト用流しが取り付けられ、その上方には鏡が取り付けられ、この鏡の裏側のケーシング内に洗浄水供給装置および電気温水器を隠蔽された状態で収納させて一体化したものであるため、部品点数が少なく、単独の業者により１回の施工作業で設置を完了することができ、施工が楽で工期も短縮でき、コストを低減させることができるものとなる。
【０００６】
また、本発明のオストメイト用流しユニットにおいて、前記ケーシングは、前面に前記オストメイト用流しが取り付けられる下側部と、該下側部の一部が一体状に上方へ立ち上がって前面に前記鏡が取り付けられる上側部とからなり、該上側部のケーシング内に前記洗浄水供給装置および電気温水器が収納されているものとすることもできる。
こうすれば、下側部の一部から一体状に上側部を立ち上げたケーシングにより、上側部の側方であって下側部の上面には物を置くことのできる物置スペースを確保することができるものとなり、この物置スペースを有効利用できるものとなる。
【０００７】
また、本発明のオストメイト用流しユニットにおいて、前記下側部は前記上側部よりも奥行寸法が大きく形成され、該下側部上端の上側部の前面には物置用の段部が形成されてなるものとすることもできる。
こうすれば、ケーシングの上側部の前面であって下側部上端には段部が形成され、この段部上を物置用スペースとして有効利用できるものとなる。
【発明を実施するための最良の形態】
【０００８】
次に、本発明を実施するための最良の形態を実施例を用いて説明する。
【実施例１】
【０００９】
図１〜図６は第１実施例を示すものであり、図１はオストメイト用流しユニットの正面外観図、図２はケーシングの内部構造を示す正面図、図３はオストメイト用流しユニットの側面断面構成図であり、図４はオストメイト用流しユニットの各構成部材の分解側面図である。また、図５はケーシングのフレームの正面図、図６はケーシングのフレームの側面図である。
【００１０】
オストメイト用流しユニットを構成するケーシング１のフレームは、図５の正面図および図６の側面図で示すように、角パイプフレームを溶接等で枠組みして形成したもので、床面に設置される下側部２と、下側部２の一部から上方へ立ち上げられた上側部３とが一体状の一部材として構成されている。
なお、上側部３は、下側部２の幅方向中央部に一体状に立ち上げ形成されたものであり、上側部３の下端左右側の下側部２の上面には側段部２ａ，２ｂが形成され、この側段部２ａ，２ｂの部分には天板を設けて、この側段部２ａ，２ｂ上を物置スペースとして良好に利用できるように構成されている。
【００１１】
下側部２の前面には、スチール製等の前パネル６が取り付けられて、前パネル６で下側部２の前面が覆蓋され、この前パネル６の前面に、上面が開放された陶器製のオストメイト用流し４が取り付けられ、オストメイト用流し４の上方の前パネル６の前面には混合水栓７が取り付けられる。また、ケーシング１の上側部３の前面の全域には鏡５が取り付けられて、上側部３の前面は鏡５により覆蓋される。
【００１２】
混合水栓７はオストメイト用流し４内に吐水できる吐水口７ａを備えており、図示右側には水が供給される水側口７ｃが設けられ、図示左側には湯が供給される湯側口７ｂが設けられている。また、この混合水栓７にはシャワーヘッド８がシャワーホースで接続されている。なお、シャワーヘッド８はパウチを洗うためのものであるため、一般的なシャワーのように広がった散水ではなく、泡沫状の狭い範囲のシャワー水を噴出させるものであれば良い。
この混合水栓７の図１における左側には洗浄ボタン９が設けられており、この洗浄ボタン９を手で押すことによりオストメイト用流し４内に洗浄水を流してオストメイト用流し４内を洗浄できるものである。また、混合水栓７の図１における図示右側には、水石鹸を入れる水石鹸入れ１０が設けられ、さらにその右側にはペーパーホルダー１１が設けられている。
なお、図中１９は、電気温水器１７が作動した時に膨張水をオストメイト用流し４内に流出させるために、オストメイト用流し４上に設けられた膨張水流出口である。
【００１３】
ケーシング１の下側部２内には、図２に示すように、給水管１２と排水管１６が下方側から立ち上げ状に配管されており、給水管１２の上端側は下側部２内で水平状に曲げられて、この部分で上側部３側へ上方に立ち上げて分岐管１２ａ，１２ｂが配設されており、分岐管１２ａの上端には、洗浄水供給装置を構成するフラッシュバルブ１３が接続されている。
このフラッシュバルブ１３から垂下状に洗浄水供給管１４が配管され、この洗浄水供給管１４は、オストメイト用流し４の背面側に開口された洗浄水供給口１４ａと接続され、オストメイト用流し４内に洗浄水を流すことができるものである。また、オストメイト用流し４の背面下部部位の位置には、排水口１５が設けられており、この排水口１５に排水管１６が接続されている。
【００１４】
また、ケーシング１の上側部３内には電気温水器１７が収納されており、この電気温水器１７には前記分岐管１２ｂが接続されて、分岐管１２ｂを通して電気温水器１７内に給水が行われ、また、電気温水器１７内で生成された温水は温水管を通り前記混合水栓７の湯側口７ｂに供給されて、湯が混合水栓７内に流入されるように構成されている。
【００１５】
なお、本例のケーシング１の下側部２は、その高さ寸法ａが約９５０ｍｍ程度に設定されており、オストメイト用流し４の配置高さは、図３に示すように、オストメイトＭがオストメイト用流し４の前に立った時に、オストメイト用流し４の上方にオストメイトＭの腹部が位置する程度の高さに設定されている。
【００１６】
次に、このように構成されたオストメイト用流しユニットの使用の一例を説明する。
オストメイトＭがオストメイト用流し４の前に立ち、腹部に装着しているパウチを取り外し、パウチ内部の汚物をオストメイト用流し４内に容易に捨てることができ、その後に、混合水栓７を操作してシャワーヘッド８から適温の湯を噴出させてパウチを簡単に濯いで捨てることができ、その時にパウチを装着していた腹部等の汚れをも良好に鏡５で確認しながら拭き取る等することもできる。その後に、新しいパウチを腹部に装着して、洗浄ボタン９を手で押すと、フラッシュバルブ１３が作動し、洗浄水が洗浄水供給管１４を通りオストメイト用流し４内に流出して、オストメイト用流し４を洗浄するとともに汚物が排出される。その後に、オストメイトＭは混合水栓７を操作して吐水口７ａから湯水を吐出させて手を洗うことができる。
【００１７】
このオストメイト用流し４は、良好に手等を洗って処理できるように高さ位置等が適正高さに設定されており、前面に取り付けた鏡５により腹部が確認しやすいものとなる。そのため、オストメイトＭが楽な姿勢で、パウチ内の汚物をオストメイト用流し４に流して処理することができる。さらに、側段部２ａ，２ｂを物置スペースとして使用することができるため、交換用パウチ等を置いたりできて作業がし易いものとなる。
また、オストメイト用流しユニットは、全体を単独の業者により１回の施工作業で施工することができ、別の鏡業者などは関与する必要がないため、施工が楽であり、工期も短縮でき、コストを低減させて設置できるものである。
【００１８】
次に、図７の側面図では、第１実施例の変更例を示す。
この図７に示すオストメイト用流しユニットは、ケーシング１の下側部２の奥行寸法が、上側部３の奥行寸法よりも大に設定されたものであり、下側部２の上端の上側部３の下端側前面には前段部２ｃが形成されており、この前段部２ｃ上のスペースを利用して、この前段部２ｃ上に物を置いて有効に利用できるように構成したものである。
【００１９】
なお、ケーシング１の上側部３の奥行寸法は小さいために、この上側部３内に収納される電気温水器１７は薄型のものであることが好ましい。
なお、その他の構成は、図１，図２，図４のものと同様であり、同一部材については同一符号を付してその説明を省略する。
本例においても、ケーシング１の上側部３の前面には全域に亘り鏡５が設けられ、この鏡５の裏側に電気温水器１７およびフラッシュバルブ１３は良好に隠蔽された状態となる。
【００２０】
さらに図８および図９は、第１実施例の変更例であり、図８の変更例では、ケーシング１の下側部２と上側部３の左右方向幅寸法を同一にして一体状に形成したものであり、下端側から上端側に向かって幅寸法が同一で立ち上がり、上側部３に鏡５が縦方向に設置されたものである。この鏡５の裏側の上側部３内に電気温水器１７およびフラッシュバルブ１３が収納されて、鏡５により隠蔽された状態となる。
従って、この図８の構成では、ケーシング１の下側部２の上面に側段部２ａ，２ｂは存在しないが、下側部２の上端に前段部２ｃを形成すれば、物を置くことができ、有効に利用することができる。
【００２１】
また、図９に示す変更例は、正面右側の側段部２ｂのみが形成されて、左側の側段部２ａは存在しない形態にケーシング１を形成したものであり、右側の側段部２ｂ上のみを利用して、この上に物を置くことができる。なお、下側部２の上端に前段部２ｃを形成しても良い。
本例においても、鏡５の裏側のケーシング１の上側部３内に電気温水器１７およびフラッシュバルブ１３が収納されて、鏡５により隠蔽された状態となる。
なお、その他の形状は、第１実施例と同様である。
このような図８および図９の変更例のオストメイト用流しユニットにおいても、単独の業者により１回の施工作業で施工することができ、施工が楽であり、コストを低減させて設置できるものである。
【実施例２】
【００２２】
次に、第２実施例を図１０〜図１４に示す。
図１０は第２実施例のオストメイト用流しユニットの正面外観構成図、図１１はケーシングの内部構造図、図１２はオストメイト用流しユニットの側面縦断面構成図である。また、図１３はオストメイト用流しユニットの各構成部材の分解側面図である。なお、図１４は、第２実施例のオストメイト用流しユニットと便器を並べて住宅内に設置した構成図である。
【００２３】
本例においても、ケーシング１は下側部２と上側部３が一体で形成されており、下側部２の上面側の上側部３の左右側方には物置用の側段部２ａ，２ｂが形成されている。
ケーシング１の上側部３の前面の全域には鏡５が取り付けられて、上側部３の前面は鏡５により覆蓋されている。
また、ケーシング１の下側部２の前面には前パネル６が取り付けられて下側部２の前面が覆蓋されている。この前パネル６の前面に、オストメイト用流し４と、その上方にシャワーヘッド８付きの混合水栓７と、洗浄ボタン９と、水石鹸入れ１０と、ペーパーホルダー１１が取り付けられている。
【００２４】
ケーシング１の下側部２内には給水管１２と排水管１６が配管されており、給水管１２の上端側から分岐管１２ｃが上側部３内に立ち上げられている。
上側部３内には洗浄水供給装置を構成するロータンク装置２０が収納され、このロータンク装置２０は、ボールタップ２０ｃと浮玉２０ａとフロート弁２０ｂを備えており、ボールタップ２０ｃに分岐管１２ｃが接続されている。なお、ロータンク装置２０に設けられた洗浄ハンドル２０ｄはリモコンによる自動操作が可能となっており、洗浄ボタン９を押すことによりオストメイト用流し４内を洗浄することができる。
【００２５】
このロータンク装置２０のフロート弁２０ｂの底側から垂下状に洗浄水供給管１４が垂設され、この洗浄水供給管１４は、オストメイト用流し４の背面側に開口された洗浄水供給口１４ａと接続され、オストメイト用流し４内に洗浄水を流すことができるものである。
また、ケーシング１の上側部３内のロータンク装置２０の下方側には電気温水器１７が収納されている。この電気温水器１７およびロータンク装置２０は、前面に鏡５が取り付けられることで正面側から隠蔽された状態となる。
なお、その他の構成は、第１実施例のものと同様であり、同一部材については同一符号を付してその説明を省略する。
【００２６】
本例においては、ケーシング１の上側部３内にロータンク装置２０を収納したものであるため、低水圧の公衆トイレや一般家庭等でも、このロータンク装置２０内に溜められた洗浄水をオストメイト用流し４に供給して、オストメイト用流し４を良好に洗浄できるものである。従って、下側部２内に配管される給水管１２は水栓金具等に使用される口径が小さい既存の水道配管を用いることができ、フラッシュバルブに必要な口径の大きい配管に変えなくても良く、既存のものが使用できるため改修が楽なものである。
【００２７】
本例においても、オストメイトＭがオストメイト用流し４の前に立ってパウチを取り外し、汚物をオストメイト用流し４に捨て、シャワーヘッド８を用いてパウチを簡単に濯いで捨て、腹部等の汚れを拭き取る等することができ、新しいパウチを装着した後に、洗浄ボタン９を押してロータンク装置２０内の洗浄水をオストメイト用流し４に流して、オストメイト用流し４を良好に洗浄することができ、また、その後に混合水栓７からの湯等で手を洗うことができるものである。
本例においても、ケーシング１の下側部２と上側部３は一体に形成されており、１回の施工で容易に設置を完了することができ、部品点数も少なく設置が楽で、コストを安く設置できるものである。
【００２８】
なお、上記各実施例において、オストメイト用流し４の鉢内の側面等に脱臭機能部材を付設して構成することもできる。
こうすれば、汚物等の臭いを脱臭機能部材で良好に脱臭できるものとなる。
【００２９】
また、鏡５は、スライド式あるいは観音開き式で開閉可能に構成しておくこともできる。こうすれば、鏡５を開けて奥側の電気温水器１７等の点検がしやすいものとなる。
なお、上記各実施例において、鏡５はケーシング１の上側部３の全面に設けなくても良い。
【００３０】
また、混合水栓７を陶器製のオストメイト用流し４の上部に直接設置して構成することもできる。
こうすれば、鏡５の下端側を更に低い位置に配置することができて、パウチを装着した腹部等を鏡５で確認しやすいものとなる。
【００３１】
また、シャワーヘッド８は引出し式のもので構成しておくこともできる。
こうすれば、ホースが邪魔にならず、また、ホースが剥き出しにならないため見栄えが良好なものとなる。
【図面の簡単な説明】
【００３２】
【図１】第１実施例のオストメイト用流しユニットの正面外観構成図である。
【図２】図１のケーシングの内部正面構成図である。
【図３】図１のオストメイト用流しユニットの側面縦断面構成図である。
【図４】第１実施例のオストメイト用流しユニットの構成部材の分解側面構成図である。
【図５】ケーシングのフレームの正面図である。
【図６】ケーシングのフレームの側面図である
【図７】物置用の前段部を形成させたオストメイト用流しユニットの側面断面構成図である。
【図８】ケーシングの下側部と上側部の左右幅寸法を同一にした場合のオストメイト用流しユニットの正面外観構成図である。
【図９】物置用の側段部を右側にのみ形成した場合のオストメイト用流しユニットの正面外観構成図である。
【図１０】第２実施例のオストメイト用流しユニットの正面外観構成図である。
【図１１】図１０のケーシングの内部正面構成図である。
【図１２】図１０のオストメイト用流しユニットの側面断面構成図である。
【図１３】第２実施例のオストメイト用流しユニットの構成部材の分解側面構成図である。
【図１４】第２実施例のオストメイト用流しユニットと便器を並べて住宅内に設置した構成図である。
【符号の説明】
【００３３】
１  ケーシング
２  下側部
２ａ，２ｂ  側段部
２ｃ  前段部
３  上側部
４  オストメイト用流し
５  鏡
６  前パネル
７  混合水栓
７ａ  吐水口
８  シャワーヘッド
９  洗浄ボタン
１０  水石鹸入れ
１１  ペーパーホルダー
１２  給水管
１２ａ，１２ｂ，１２ｃ  分岐管
１３  フラッシュバルブ（洗浄水供給装置）
１４  洗浄水供給管
１４ａ  洗浄水供給口
１５  排水口
１６  排水管
１７  電気温水器
２０  ロータンク装置（洗浄水供給装置）
２０ａ  浮玉
２０ｂ  フロート弁
【図１】
2010125295.tif 000003
【図２】
2010125295.tif 000004
【図３】
2010125295.tif 000005
【図４】
2010125295.tif 000006
【図５】
2010125295.tif 000007
【図６】
2010125295.tif 000008
【図７】
2010125295.tif 000009
【図８】
2010125295.tif 000010
【図９】
2010125295.tif 000011
【図１０】
2010125295.tif 000012
【図１１】
2010125295.tif 000013
【図１２】
2010125295.tif 000014
【図１３】
2010125295.tif 000015
【図１４】
2010125295.tif 000016